(57)【要約】【課題】防漏壁を有するパンツ型使い捨ておむつにおいて、着用者に不快感を与えにくくしつつ、防漏壁のフィット性を向上させる。【解決手段】吸収性本体（１０）と、前記吸収性本体の横方向の両側に設けられ、着用する際に着用者の肌側に起立する一対の防漏壁（５０）と、を備えたパンツ型使い捨ておむつ（１）であって、前記防漏壁（５０）は、横方向に所定の幅を有し、着用する際に前記着用者の身体に当接する当接部（５３）と、前記当接部（５３）の横方向の一方側の端部から、前記当接部の横方向の他方側かつ着用者の非肌側に延びる第１傾斜壁部（５１）と、前記当接部の前記横方向の他方側の端部から、前記当接部の前記横方向の一方側かつ前記着用者の非肌側に延びる第２傾斜壁部（５２）と、有し、前記当接部（５３）は、横方向において、前記第１傾斜壁部（５１）及び前記第２傾斜壁部（５２）のいずれとも接合されていない領域を有する。【選択図】図４
2018086134.tif 000002
【特許請求の範囲】
【請求項１】
縦方向と、前記縦方向に交差する横方向と、を有し、
排泄物を吸収する吸収性本体と、
前記吸収性本体の前記横方向の両側に設けられ、着用する際に着用者の肌側に起立する一対の防漏壁と、
を備えたパンツ型使い捨ておむつであって、
前記防漏壁は、
前記横方向に所定の幅を有し、着用する際に前記着用者の身体に当接する当接部と、
前記当接部の前記横方向の一方側の端部から、前記当接部の前記横方向の他方側かつ前記着用者の非肌側に延びる第１傾斜壁部と、
前記当接部の前記横方向の他方側の端部から、前記当接部の前記横方向の一方側かつ前記着用者の非肌側に延びる第２傾斜壁部と、
有し、
前記当接部は、前記横方向において、前記第１傾斜壁部及び前記第２傾斜壁部のいずれとも接合されていない領域を有する、
ことを特徴とするパンツ型使い捨ておむつ。
【請求項２】
請求項１に記載のパンツ型使い捨ておむつであって、
前記防漏壁は、前記第１傾斜壁部及び前記第２傾斜壁部の端部に接合され、前記第１傾斜壁部及び前記第２傾斜壁部を支持する支持壁部を有する、ことを特徴とするパンツ型使い捨ておむつ。
【請求項３】
請求項１または２に記載のパンツ型使い捨ておむつであって、
前記当接部は、前記横方向中央部において、前記第１傾斜壁部及び前記第２傾斜壁部のいずれとも接合されていない、ことを特徴とするパンツ型使い捨ておむつ。
【請求項４】
請求項１〜３のいずれかに記載のパンツ型使い捨ておむつであって、
前記当接部には、前記吸収性本体の長手方向に沿った弾性部材が前記横方向に所定の間隔を空けて複数配置されている、ことを特徴とするパンツ型使い捨ておむつ。
【請求項５】
請求項４に記載のパンツ型使い捨ておむつであって、
複数の前記弾性部材は、前記横方向において均等なピッチで配置されている、ことを特徴とするパンツ型使い捨ておむつ。
【請求項６】
請求項４または５に記載のパンツ型使い捨ておむつであって、
前記横方向において複数の前記弾性部材が配置されている領域では、前記当接部と前記第１傾斜壁部及び前記第２傾斜壁部のいずれとも接合されていない、ことを特徴とするパンツ型使い捨ておむつ。
【請求項７】
請求項１〜６のいずれかに記載のパンツ型使い捨ておむつであって、
前記当接部の非肌側には、第１補助シートが積層されて設けられている、ことを特徴とするパンツ型使い捨ておむつ。
【請求項８】
請求項７に記載のパンツ型使い捨ておむつであって、
前記当接部の肌側には、前記第１補助シートとは異なる第２補助シートが積層されて設けられている、ことを特徴とするパンツ型使い捨ておむつ。
【請求項９】
請求項１〜８のいずれかに記載のパンツ型使い捨ておむつであって、
前記第１傾斜壁部の傾斜方向における長さ、及び、前記前記第２傾斜壁部の傾斜方向における長さは、
前記当接部の前記横方向における長さよりも長い、ことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型の使い捨ておむつが使用されている。一般的なパンツ型の使い捨ておむつは、展開状態において、長手方向と幅方向とを有し排泄物を吸収する吸収性コアを備えた吸収性本体が設けられている。そして、該吸収性本体の幅方向の両側には、吸収性コアによって吸収された排泄物がおむつの外側に漏れることを防止する防漏壁部が着用者の脚回りに沿って設けられる。例えば、特許文献１には、液体吸収性パネル（吸収性本体）の両側に側部フラップが設けられ、当該側部フラップの自由端側に設けられた糸ゴム等の弾性部材が収縮することによってギャザー（防漏壁部）を形成する使い捨ておむつが開示されている。
【先行技術文献】
【特許文献】
【０００３】
【特許文献１】特開２００９−６１０５２号
【発明の概要】
【発明が解決しようとする課題】
【０００４】
使い捨ておむつの着用時において、吸収性コアが排泄物を吸収することによって重量が増加すると、吸収性本体が自重によって下側に垂れ下がり、着用者の股間部（鼠蹊部）に隙間が生じて脚回りの開口部から排泄物が外側に漏れてしまうおそれがある。これに対して、特許文献１に記載されているような従来のおむつでは、吸収性本体が垂れ下がるのに伴って、防漏壁の位置がずれてフィット性が悪化したり、防漏壁と肌との間に隙間が生じたりすることを十分に抑制することが困難であった。また、隙間が生じないように防漏壁に設けられる弾性部材による締め付けを強くすると、着用者に不快感を与えるおそれがあった。
【０００５】
本発明は、上記のような従来の問題に鑑みてなされたものであって、その目的は、防漏壁を有するパンツ型使い捨ておむつにおいて、着用者に不快感を与えにくくしつつ、防漏壁のフィット性を向上させることにある。
【課題を解決するための手段】
【０００６】
上記目的を達成するための主たる発明は、縦方向と、前記縦方向に交差する横方向と、を有し、排泄物を吸収する吸収性本体と、前記吸収性本体の前記横方向の両側に設けられ、着用する際に着用者の肌側に起立する一対の防漏壁と、を備えたパンツ型使い捨ておむつであって、前記防漏壁は、前記横方向に所定の幅を有し、着用する際に前記着用者の身体に当接する当接部と、前記当接部の前記横方向の一方側の端部から、前記当接部の前記横方向の他方側かつ前記着用者の非肌側に延びる第１傾斜壁部と、前記当接部の前記横方向の他方側の端部から、前記当接部の前記横方向の一方側かつ前記着用者の非肌側に延びる第２傾斜壁部と、有し、前記当接部は、前記横方向において、前記第１傾斜壁部及び前記第２傾斜壁部のいずれとも接合されていない領域を有する、ことを特徴とするパンツ型使い捨ておむつである。
本発明の他の特徴については、本明細書及び添付図面の記載により明らかにする。
【発明の効果】
【０００７】
本発明によれば、防漏壁を有するパンツ型使い捨ておむつにおいて、着用者に不快感を与えにくくしつつ、防漏壁のフィット性を向上させることができる。
【図面の簡単な説明】
【０００８】
【図１】展開かつ伸長状態であるおむつ１の平面図である。
【図２】おむつ１を腹側から見た概略斜視図である。
【図３】図１中のＡ−Ａ概略断面図である。
【図４】防漏壁５０の構造について説明する断面模式図である。
【図５】展開かつ伸長状態である防漏壁５０の平面図である。
【図６】図６Ａ〜図６Ｃは、防漏壁５０の形成方法について説明する断面模式図である。
【図７】図７Ａは、排泄が行われる前のおむつ１００（比較例）の着用状態について説明する図である。図７Ｂは、排泄が行われた後のおむつ１００（比較例）の着用状態について説明する図である。
【図８】図８Ａは、排泄が行われる前のおむつ１の着用状態について説明する図である。図８Ｂは、排泄が行われた後のおむつ１の着用状態について説明する図である。
【図９】図９Ａ及び図９Ｂは、防漏壁５０が第１傾斜壁部５１及び第２傾斜壁部５２を有していない場合の例について説明する図である。
【図１０】図１０Ａ及び図１０Ｂは、防漏壁５０の第１傾斜壁部５１（第２傾斜壁部５２）を介して当接部５３に作用する力について説明する図である。
【図１１】防漏壁５０の変形例について表す断面模式図である。
【発明を実施するための形態】
【０００９】
本明細書及び添付図面の記載により、少なくとも以下の事項が明らかとなる。
縦方向と、前記縦方向に交差する横方向と、を有し、排泄物を吸収する吸収性本体と、前記吸収性本体の前記横方向の両側に設けられ、着用する際に着用者の肌側に起立する一対の防漏壁と、を備えたパンツ型使い捨ておむつであって、前記防漏壁は、前記横方向に所定の幅を有し、着用する際に前記着用者の身体に当接する当接部と、前記当接部の前記横方向の一方側の端部から、前記当接部の前記横方向の他方側かつ前記着用者の非肌側に延びる第１傾斜壁部と、前記当接部の前記横方向の他方側の端部から、前記当接部の前記横方向の一方側かつ前記着用者の非肌側に延びる第２傾斜壁部と、有し、前記当接部は、前記横方向において、前記第１傾斜壁部及び前記第２傾斜壁部のいずれとも接合されていない領域を有する、ことを特徴とするパンツ型使い捨ておむつ。
【００１０】
このようなパンツ型使い捨ておむつによれば、当接部と第１傾斜壁部と第２傾斜壁部とによる三角形が形成されることにより、排泄物等を吸収して重くなった吸収性本体による荷重が当接部の１カ所（特に横方向の中央部）に集中して作用することが抑制され、当接部は平面形状を維持しやすくなる。これにより、当接部によって形成される平面が着用者の身体にピタッとフィットし、着用者に不快感を与えにくくしつつ、股間部に隙間が生じることを抑制することができる。
【００１１】
かかるパンツ型使い捨ておむつであって、前記防漏壁は、前記第１傾斜壁部及び前記第２傾斜壁部の端部に接合され、前記第１傾斜壁部及び前記第２傾斜壁部を支持する支持壁部を有する、ことが望ましい。
【００１２】
このようなパンツ型使い捨ておむつによれば、吸収性本体の重量増加分による荷重が支持壁部に接合されている第１傾斜壁部及び第２傾斜壁部に分散され、当接部の横方向の両端部に作用するようになる。すなわち、当接部の横方向両端部に荷重が分散されて作用することから、当接部が平面形状を維持しやすくなる。これにより、おむつ着用時において着用者に不快感を与えにくくしつつ、フィット性を向上させることができる。
【００１３】
かかるパンツ型使い捨ておむつであって、前記当接部は、前記横方向中央部において、前記第１傾斜壁部及び前記第２傾斜壁部のいずれとも接合されていない、ことが望ましい。
【００１４】
このようなパンツ型使い捨ておむつによれば、当接部と第１傾斜壁部と第２傾斜壁部とによる三角形が形成され、支持壁部から伝達される下方向の力（荷重）が効率的に分散され、当接部の１カ所に集中して作用することを抑制しやすくなる。これにより、当接部がより平面形状を維持しやすくなり、着用者の身体に面でピタッとフィットしやすくなる。
【００１５】
かかるパンツ型使い捨ておむつであって、前記当接部には、前記吸収性本体の長手方向に沿った弾性部材が前記横方向に所定の間隔を空けて複数配置されている、ことが望ましい。
【００１６】
このようなパンツ型使い捨ておむつによれば、おむつの着用時において、当接部の表面に弾性部材による収縮力が作用することにより、当接部が面形状を維持した状態で着用者の身体に面でピタッとフィットしやすくなる。また、複数の弾性部材による収縮力が分散されて当接部全体として着用者の肌に作用する面圧が大きくなることから、着用者の肌に局所的な圧力が作用しにくく、おむつの付け心地が悪化したり肌を傷つけたりすることを抑制できる。これにより、着用者に不快感を与えにくくしつつ、よりフィット性を向上させることができる。
【００１７】
かかるパンツ型使い捨ておむつであって、複数の前記弾性部材は、前記横方向において均等なピッチで配置されている、ことが望ましい。
【００１８】
このようなパンツ型使い捨ておむつによれば、当接部の表面に、全体的に均一な伸縮力（弾性部材による長手方向の収縮力）が作用しやすくなり、当接部が捲れあがったり折れ曲がったりすることを抑制しやすくなる。したがって、おむつの着用時において、当接部をより平面形状に保ちやすくすることが可能となり、着用者の身体に当接部を面状にフィットさせやすくなる。
【００１９】
かかるパンツ型使い捨ておむつであって、前記横方向において複数の前記弾性部材が配置されている領域では、前記当接部と前記第１傾斜壁部及び前記第２傾斜壁部のいずれとも接合されていない、ことが望ましい。
【００２０】
このようなパンツ型使い捨ておむつによれば、弾性部材による収縮力が作用している領域では、当接部におけるシート部材の積層枚数が一定であり、剛性差が一定に保たれやすい。したがって、当接部に作用する収縮力に差が生じにくく、当接部が平面形状を維持しやすくなる。これにより、着用者の身体に当接部を面状にフィットさせやすくなる。
【００２１】
かかるパンツ型使い捨ておむつであって、前記当接部の非肌側には、第１補助シートが積層されて設けられている、ことが望ましい。
【００２２】
このようなパンツ型使い捨ておむつによれば、当接部の剛性を全体に亘って高くすることができる。したがって、当接部が折れ曲がったり撓んだりしにくくなり、平面形状を維持しやすくなっている。これにより、着用者の身体に当接部を面状にフィットさせやすくなる。
【００２３】
かかるパンツ型使い捨ておむつであって、前記当接部の肌側には、前記第１補助シートとは異なる第２補助シートが積層されて設けられている、ことが望ましい。
【００２４】
このようなパンツ型使い捨ておむつによれば、剛性がさらに高くなり、平面形状をより維持しやすくなる。また、当接部の肌側面は、おむつの着用時において着用者の身体と直接接触する部位であることから、第２補助シートの素材を適当に選択することにより、防漏壁の肌触りを向上させることができる。
【００２５】
かかるパンツ型使い捨ておむつであって、前記第１傾斜壁部の傾斜方向における長さ、及び、前記前記第２傾斜壁部の傾斜方向における長さは、前記当接部の前記横方向における長さよりも長い、ことが望ましい。
【００２６】
このようなパンツ型使い捨ておむつによれば、第１傾斜壁部及び第２傾斜壁部によって当接部が横方向の中央側に圧縮される力が小さくなり、当接部が撓んだり折れ曲がったり（座屈）することを抑制しやすくなる。これにより、当接部が平面形状を維持しやすくなる。
【００２７】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、展開かつ伸長状態であるおむつ１の平面図である。図２は、おむつ１を腹側から見た概略斜視図である。図３は、図１中のＡ−Ａ概略断面図である。なお、図１における「伸長状態」とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００２８】
このおむつ１は、図２のパンツ型状態において、互いに直交する三方向として縦方向と横方向と前後方向とを有している。そして、以下では、このパンツ型状態における縦方向の一方側及び他方側のことを、それぞれ「胴回り開口側」及び「股下側」とも言い、また、前後方向の前側及び後側のことを、それぞれ「腹側」及び「背側」とも言う。
【００２９】
一方、図１の展開状態においては、おむつ１は、互いに直交する三方向として長手方向と幅方向とを有している。そして、以下では、この展開状態における長手方向の一方側及び他方側のことを、それぞれ「腹側」及び「背側」とも言う。なお、展開状態における上記の幅方向は、パンツ型状態における上記の横方向と同じ方向である。そのため、以下では、幅方向のことを「横方向」とも言う。また、展開状態の長手方向は、パンツ型状態の縦方向に沿った方向である。また、図３に示すように、縦方向（長手方向）及び横方向（幅方向）と直交する方向を「厚さ方向」とし、着用対象者の肌と当接する側を「肌側」とし、その反対側を「非肌側」とする。
【００３０】
また、おむつ１は、図１に示すように、長手方向において腹側胴回り部３と、背側胴回り部４と、股下部５とを有する。腹側胴回り部３は、おむつ１の着用時において着用者の腹側に位置する部分である。背側胴回り部４は、おむつ１の着用時において着用者の背側に位置する部分である。そして、腹側胴回り部３と背側胴回り部４との間に股下部５が設けられる。
【００３１】
本実施形態のおむつ１は、吸収性本体１０と、トップシート２０と、バックシート３０と、防漏壁５０と、を有する。そして、図１の展開状態から、吸収性本体１０の長手方向（縦方向）の所定位置ＣＬ１０を折り位置として同吸収性本体１０が二つ折りされるとともに、この二つ折りの状態において互いに対向する腹側胴回り部３及び背側胴回り部４が腹側サイドエッジ部３ｅｓ及び背側サイドエッジ部４ｅｓにて溶着や接着等の接合手段を用いて接合されると、これら胴回り部３，４同士が環状に繋がって、図２に示すような胴回り開口ＢＨ及び一対の脚回り開口ＬＨ，ＬＨが形成されたパンツ型状態のおむつ１となる。
【００３２】
吸収性本体１０は、尿等の排泄物を吸収する機能を有し、図１に示されるように平面視略長方形をなし、その長手方向をおむつ１の縦方向に沿わせつつ横方向の中央に配置されている。吸収性本体１０は、液体吸収性の吸収性コア１１と、同コア１１の外周面を被覆するコアラップシート１２と、を有する（図３参照）。また、吸収性本体１０の横方向の両側には、防漏壁５０が設けられている。防漏壁５０の詳細については後で説明する。
【００３３】
吸収性コア１１は、パルプ繊維等の液体吸収性繊維を所定形状に成形したものであり、その内部には高吸収性ポリマー（所謂ＳＡＰ）等が混入されている。本実施形態において、吸収性コア１１は平面視略砂時計形状であり、長手方向の中央部が横方向の内側に凹んだ凹み部１１ｃを有している。すなわち、吸収性コア１１は、吸収性コア１１の長手方向の両端部１１ｅａ，１１ｅｂよりも横方向の寸法が小さい凹み部１１ｃを、長手方向の両端部１１ｅａ，１１ｅｂの間の位置に有している。コアラップシート１２は、吸収性コア１１の外周面を被覆する液透過性のシート部材であり、ティッシュペーパーや不織布等を使用可能である。
【００３４】
トップシート２０は、吸収性本体１０の厚さ方向の肌側に配置され、おむつ１の着用時に着用者の肌と当接する液透過性のシート部材である。本実施形態のトップシート２０は、例えば、エアスルー不織布やスパンボンド不織布等によって形成される。
【００３５】
バックシート３０は、吸収性本体１０の厚さ方向の非肌側に配置され、おむつ１の外層を構成するシート部材である。本実施形態において、バックシート３０は、バックフィルム３１と、上側外層シート３２及び下側外層シート３３とを有する。バックフィルム３１は、吸収性本体１０の非肌側に配置された液不透過性かつ透湿性のシート部材であり、例えば樹脂フィルムによって形成される。バックフィルム３１が設けられることによって、吸収性本体１０によって吸収された尿等の水分が着用者の衣服側に移動（浸透）することが抑制される。
【００３６】
上側外層シート３２及び下側外層シート３３は、厚さ方向に重ねられつつバックフィルム３１の非肌側に配置される柔軟なシート状部材であり、例えばスパンボンド不織布等によって形成される。上側外層シート３２及び下側外層シート３３は、少なくとも腹側胴回り部３及び背側胴回り部４において共に同じ形状であり、全体としては図１に示されるような略砂時計形状を有している。すなわち、バックシート３０は、腹側胴回り部３と背側胴回り部４との間で長手方向の中央部（股下部５）が横方向の内側に凹んだ凹み部３０ｃを有している。
【００３７】
また、上側外層シート３２及び下側外層シート３３の厚さ方向の間には、糸ゴム等の弾性部材が設けられている。本実施形態では、図１に示されるように、おむつ１の腹側胴回り部３（腹側サイドエッジ部３ｅｓ，３ｅｓの間の領域）において、複数の腹側胴回り弾性部材３５ａが所定の伸長倍率で横方向に伸長された状態で上側外層シート３２と下側外層シート３３との間に挟まれて接合されている。この腹側胴回り弾性部材３５ａによって、おむつ１の腹側胴回り部３に横方向の伸縮性が付与される。同様に、おむつ１の背側胴回り部４（背側サイドエッジ部４ｅｓ，４ｅｓの間の領域）において、複数の背側胴回り弾性部材３５ｂが所定の伸長倍率で横方向に伸長された状態で上側外層シート３２と下側外層シート３３との間に接合されている。この背側胴回り弾性部材３５ｂによって、おむつ１の背側胴回り部４に横方向の伸縮性が付与される。
【００３８】
なお、弾性部材の「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００３９】
また、背側胴回り部４には複数の背側脚回り弾性部材３５ｌｇが設けられている。背側脚回り弾性部材３５ｌｇは、背側胴回り部４の長手方向の内側の領域（吸収性コア１１の長手方向の中央寄りの位置）から凹み部３０ｃに沿って湾曲して配置されている。具体的に言えば、背側脚回り弾性部材３５ｌｇは、図１に示されるように、横方向の中央部（吸収性コア１１が配置されている領域）において横方向に沿って配置された直線部３５ｌｇｓと、直線部３５ｌｇｓの横方向の両側から、横方向の外側に向かって斜め上方に湾曲して配置された湾曲部３５ｌｇｃと、を有する。そして、直線部３５ｌｇｓと湾曲部３５ｌｇｃとは、それぞれ異なる伸長倍率で伸長された状態で上側外層シート３２と下側外層シート３３との間に接合されている。
【００４０】
本実施形態では、直線部３５ｌｇｓにおける伸長倍率が背側胴回り弾性部材３５ｂの伸長倍率よりも低くなるように背側脚回り弾性部材３５ｌｇが配置されている。直線部３５ｌｇｓは、横方向の中央部において吸収性コア１１（吸収性本体１０）と重複する部分を有していることから、伸長倍率を低くすることによって、吸収性コア１１が横方向に過度に収縮することを抑制することができる。なお、直線部３５ｌｇｓの横方向の位置によって伸長倍率が異なっていても良い。例えば、直線部３５ｌｇｓのうち横方向中央部における伸長倍率が横方向両端部における伸長倍率より低くなっていても良い。これにより、直線部３５ｌｇｓにおける応力に勾配が生じ、フィット性を損なうことなく吸収性コア１１の収縮を抑制することができる。
【００４１】
一方、湾曲部３５ｌｇｃにおける伸長倍率は、背側胴回り弾性部材３５ｂの伸長倍率よりも高くなるように配置されている。湾曲部３５ｌｇｃは、おむつ１の背側において凹み部３０ｃに沿って配置されているが、この領域は、おむつ１の着用時に着用者の臀部に当接し、着用者が脚を動かすことによって位置ずれが生じやすい部分である。そこで、湾曲部３５ｌｇｃの伸長倍率を高くすることによって、収縮力を強くして位置ずれを生じにくくしている。また、脚回り開口ＬＨの近隣においてバックシート３０の収縮量が大きくなるため、バックシート３０が着用者の臀部の丸みに沿った形状に変形しやすくなり、フィット性を高めることができる。なお、直線部３５ｌｇｓと同様に、湾曲部３５ｌｇｃの横方向で伸長倍率が異なっていても良い。例えば、湾曲部３５ｌｇｃにおいて、横方向の内側よりも外側の方が伸長倍率を高くしても良い。
【００４２】
＜防漏壁５０について＞
次に、防漏壁５０について説明する。防漏壁５０は、吸収性本体１０の横方向両側において、吸収性本体１０の長手方向（おむつ１の縦方向）に沿って配置され、おむつ１の着用時には吸収性本体１０の側端部から起立して、排泄物がおむつ１の外側に漏出するのを抑制する。図４は、防漏壁５０の構造について説明する断面模式図である。なお、同図４は、図３の領域Ｂについて拡大して表した図に相当する。図５は、展開かつ伸長状態である防漏壁５０の平面図である。図６Ａ〜図６Ｃは、防漏壁５０の形成方法について説明する断面模式図である。
【００４３】
本実施形態における防漏壁５０は、図４に示されるように、着用者の肌側に起立した状態で、第１傾斜壁部５１と第２傾斜壁部５２と当接部５３と、支持壁部５４とを有する。当接部５３は、横方向に所定の幅を有し、おむつ１を着用する際に着用者の身体（鼠蹊部）に当接する部位である。第１傾斜壁部５１は、当接部５３の横方向の一方側（図４においては横方向の内側）の端部から、横方向の他方側（横方向の外側）かつ着用者の非肌側に延びる部位である。一方、第２傾斜壁部５２は、当接部５３の横方向の他方側（図４においては横方向の外側）の端部から、横方向の他方側（横方向の内側）かつ着用者の非肌側に延びる部位である。そして、第１傾斜壁部５１と第２傾斜壁部５２と当接部５３とは、図４のような三角形（本実施形態では２等辺三角形）を形成する。また、支持壁部５４は、吸収性本体１０の横方向両側から着用者の肌側に起立しつつ、第１傾斜壁部５１、第２傾斜壁部５２、及び当接部５３を支持する部位である。
【００４４】
おむつ１の防漏壁５０は、図５に示されるような展開状態において矩形状のシート部材５０ｓを、横方向における所定位置ｆ１〜ｆ５にて横方向に折り曲げて、折り重ねられたシート部材５０ｓの一部を接合することによって形成される。防漏壁５０を形成するシート部材５０ｓとしては、例えば不織布等、柔軟性を有するシート部材を使用することができる。また、防漏壁５０には、長手方向に伸縮可能な糸ゴム等の防漏壁弾性部材５５が複数設けられている。図５の例では、それぞれ長手方向に沿った４本の防漏壁弾性部材５５１〜５５４が横方向の外側から内側に向かって並んで配置されている。防漏壁弾性部材５５１〜５５４はそれぞれ長手方向に所定の伸長倍率で伸長された状態で防漏壁５０に接合されている。この防漏壁弾性部材５５によって防漏壁５０に長手方向に沿った伸縮性が付与され、おむつ１着用時に防漏壁５０を起立させやすくすると共に、当接部５３を平面形状に保ちやすくすることができる。
【００４５】
なお、防漏壁弾性部材５５１〜５５４の横方向における配置間隔は一定であることが望ましい。言い換えると、防漏壁弾性部材５５１〜５５４は、横方向において等ピッチで設けられることが望ましい。詳細は後述するが、防漏壁弾性部材５５を等ピッチで設けることにより、当接部５３の全領域に亘って均等な収縮力が作用しやすくなり、おむつ１の着用時において当接部５３を平面形状に保ちやすくなる。なお、防漏壁弾性部材５５の横方向におけるピッチは、３ｍｍ以上、１０ｍｍ以下とすることが望ましい。
【００４６】
また、本実施形態において、防漏壁弾性部材５５は、長手方向において、少なくとも図５の破線で示された範囲で伸縮性を発現している。但し、図５において破線で示された範囲よりも長手方向（縦方向）の外側の領域に、伸縮性を発現していない防漏壁弾性部材５５が存在していても良い。また、防漏壁弾性部材５５の数量やその配置は上述した限りではなく、おむつ１のサイズや形状に応じて適宜変更可能である。
【００４７】
図６Ａに示されるように、展開状態において、防漏壁５０（シート部材５０ｓ）の横方向の内側端部５０ｅｉは、厚さ方向において吸収性本体１０とバックフィルム３１（バックシート３０）との間に接合・固定されている。一方、防漏壁５０（シート部材５０ｓ）の横方向の外側端部５０ｅоは吸収性本体１０の横方向外側に張り出している。図６Ａにおいて、シート部材５０ｓには、横方向における所定位置ｆ１〜ｆ５が設定されており、これらの所定位置にてシート部材５０ｓが順次横方向に折り曲げられることによって防漏壁５０が形成される。
【００４８】
シート部材５０ｓのうち、横方向における所定位置ｆ１とｆ２との間の領域は、第１傾斜壁部５１を形成する領域である。横方向における所定位置ｆ１とｆ２との間の距離はＬ５１で表される。同様に、横方向における所定位置ｆ３とｆ４との間の領域は、第２傾斜壁部５２を形成する領域であり、横方向における所定位置ｆ３とｆ４との間の距離はＬ５２で表される。また、横方向における所定位置ｆ２とｆ３との間の領域は、当接部５３を形成する領域であり、横方向における所定位置ｆ２とｆ３との間の距離はＬ５３で表される。また、横方向における所定位置ｆ４とｆ５の間の領域は、支持壁部５４を形成する領域である。
【００４９】
防漏壁５０を形成する際には、先ず、展開状態のシート部材５０ｓの肌側表面に、防漏壁弾性部材５５１〜５５４が長手方向に伸長した状態で配置される。本実施形態において、各防漏壁弾性部材５５１〜５５４は、横方向における所定位置ｆ２及びｆ３の間に等間隔で配置される。そして、防漏壁弾性部材５５１〜５５４が配置されている部分の厚さ方向の上側から補助シート６１が積層されるようにして配置され、接合される。すなわち、厚さ方向においてシート部材５０ｓと補助シート６１との間に防漏壁弾性部材５５１〜５５４が挟み込まれた状態で接合される。なお、防漏壁弾性部材５５１〜５５４は、該防漏壁弾性部材５５の表面に塗布された接着剤等によってシート部材５０ｓ（補助シート６１）に接合されるが、シート部材５０ｓ（補助シート６１）側に接着剤が塗布されるのであっても良いし、防漏壁弾性部材５５及びシート部材５０ｓ（補助シート６１）の両方に接着剤が塗布されるのであっても良い。
【００５０】
また、シート部材５０ｓの横方向における所定位置ｆ１と外側端部５０ｅоとの間の領域にも、接着剤等が塗布され、防漏壁接合部５７が形成される（図６Ａ参照）。
【００５１】
次いで、図６Ｂのように、横方向において所定位置ｆ１と所定位置ｆ４とが重なるように、所定位置ｆ２及びｆ３にてシート部材５０ｓを横方向の内側かつ、厚さ方向の肌側に折り曲げる。そして、ｆ１（ｆ４）の部分において厚さ方向に折り重ねられたシート部材５０ｓ同士を防漏壁接合部５７によって接合する。なお、当該シート部材５０ｓ同士の接合は、エンボス加工等の圧着手段を用いて行われるのであっても良い。すなわち、防漏壁接合部５７は接着材等を用いた接着手段によって形成されるのではなく、エンボス加工等の圧着手段によって形成されるのであっても良い。
【００５２】
次いで、図６Ｃのように所定位置ｆ５にてシート部材５０ｓを横方向の内側かつ、厚さ方向の肌側に折り曲げ、支持壁部５４を肌側に起立させる。これにより、防漏壁５０が形成され、厚さ方向の最も肌側に平面状の当接部５３が配置される。この防漏壁５０には、当接部５３を少なくとも底辺の一部とし、第１傾斜壁部５１及び第２傾斜壁部５２を斜辺とする三角形が形成されている。この場合、当接部５３は、横方向において、第１傾斜壁部５１及び第２傾斜壁部５２のいずれとも接合されていない領域を有することとなる。本実施形態では、Ｌ５１とＬ５２との長さがほぼ等しくなるように（Ｌ５１＝Ｌ５２）、また、Ｌ５１，Ｌ５２はＬ５３よりも長くなるように（Ｌ５１，Ｌ５２＞Ｌ５３）、所定位置ｆ１〜ｆ４が設定されている。したがって、第１傾斜壁部５１，第２傾斜壁部５２，当接部５３によって形成される三角形は二等辺三角形となる。
【００５３】
なお、当接部５３の横方向における長さＬ５３は、２０ｍｍ以上、４０ｍｍ以下であることが望ましい（４０ｍｍ≧Ｌ５３≧２０ｍｍ）。Ｌ５３が２０ｍｍよりも狭い場合、おむつ１の着用時において、当接部５３の横幅が狭くなり、該当接部５３が平面形状を維持しにくくなる。また、Ｌ５３が４０ｍｍよりも広い場合、おむつ１の着用時に脚回り開口ＬＨに着用者の脚を通す際、幅広の当接部５３が脚の指に引っかかりやすく、おむつ１を着用しにくくなるおそれがある。
【００５４】
また、防漏壁５０の長手方向の両端部には、エンド接合部７０が設けられている。エンド接合部７０では、図１の斜線部で示される範囲で、防漏壁５０がトップシート２０と接合されている。これにより、防漏壁５０の長手方向の端部において支持壁部５４や当接部５３がトップシート２０の肌側面に固定され、おむつ１の着用時に防漏壁５０が着用者の腰回りの領域において起立しにくくなり、フィット性が悪化することを抑制することができる。
【００５５】
＜防漏壁５０の効果について＞
おむつ１における防漏壁５０の効果について説明する。先ず、比較例として従来型の防漏壁（レッグギャザー等）を有するパンツ型使い捨ておむつ１００（以下、「おむつ１００」とも呼ぶ）を着用する際に生じる問題について説明する。図７Ａは、排泄が行われる前のおむつ１００（比較例）の着用状態について説明する図である。図７Ｂは、排泄が行われた後のおむつ１００（比較例）の着用状態について説明する図である。
【００５６】
比較例のおむつ１００の基本的な構造は、本実施形態のおむつ１とほぼ同様であるが、防漏壁の構成が大きく異なる。おむつ１００では、吸収性本体１１０（吸収性コア１１１）の横方向の両端部に一対の防漏壁１５０が設けられている。防漏壁１５０には、糸ゴム等の弾性部材１５５が複数（図７Ａにおいては弾性部材１５５１〜１５５４の４本）備えられており、当該弾性部材１５５による収縮力が作用することによって、防漏壁１５０が上方に起立する。おむつ１００の着用状態では、図７Ａに示されるように弾性部材１５５１〜１５５４によって防漏壁１５０が起立して、当該起立した防漏壁１５０の上端部に位置している弾性部材１５５１による収縮力が作用することによって、防漏壁１５０の上端部が着用者の身体に沿ってフィットしている。このときの一対の防漏壁１５０の横方向の間隔（つまり、一対の防漏壁１５０，１５０の横方向における頂点間の距離）をＷ１５０とする。
【００５７】
この状態で、排泄が行われると、吸収性コア１１１が尿等を吸収して重量が重くなり、下方側に垂れ下がるように移動する。すると、防漏壁１５０も吸収性コア１１１に引っ張られ、図７Ｂのように下方側に伸ばされるように変形する。そして、防漏壁１５０の頂点位置がそれぞれ横方向の外側から内側にずれるように移動して、横方向における頂点間の距離Ｗ１５０′が排泄前の頂点間の距離Ｗ１５０よりも小さくなる（Ｗ１５０＞Ｗ１５０′）。これは、防漏壁１５０の頂点部に配置された弾性部材１５５１による収縮力よりも、重量が増加した吸収性コア１１１によって防漏壁１５０が下方側に引っ張られる力が大きくなるためである。その結果、吸収性コア１１１が下方側に垂れ下がるのに抗することができなくなって該吸収性コア１１１が大きく垂れ下がり、着用者に違和感を生じさせたり、また、防漏壁１５０のフィット性が悪化して着用者に不快感を生じさせたりするおそれがある。また、排泄が重ねられて吸収性コア１１１の重量がさらに増加すると、防漏壁１５０の頂点部に配置された弾性部材１５５１がより内側に移動しやすくなる。特に、背側において、弾性部材１５５１の位置が着用者の臀部の出っ張りの頂点部よりもさらに内側にずれやすくなり、おむつ１００から臀部が大きくはみ出してしまい、おむつ着用時の違和感を増大させるおそれがある。また、防漏壁１５０の頂点が着用者の身体から離脱しておむつ１００の脚回り部に隙間が生じ、当該隙間からおむつ１００の外側に排泄物が漏出してしまうおそれがある。
【００５８】
なお、弾性部材１５５１による収縮力を十分に高くすることにより、上述のような防漏壁１５０の位置ずれを抑制することは可能である。しかしその場合、防漏壁１５０の頂点部における締め付けが強くなり過ぎて、着用者の身体に防漏壁１５０（弾性部材１５５１）が食い込んだり、肌を傷つけたりしてしまうおそれがある。
【００５９】
これに対して、本実施形態のおむつ１では、防漏壁５０のうち着用者の肌（股間部）と当接する部分に平面状の当接部５３が設けられていることにより、排泄が行われた場合であっても着用者に不快感を与えにくくしつつ、股間部に隙間が生じることを抑制することができる。図８Ａは、排泄が行われる前のおむつ１の着用状態について説明する図である。図８Ｂは、排泄が行われた後のおむつ１の着用状態について説明する図である。
【００６０】
図８Ａに示されるおむつ１の着用状態では、防漏壁５０のうち、肌側に配置された当接部５３が着用者の身体と当接する。すなわち、当接部５３の全体が着用者の身体に対して面接触するように配置される。上述したように、当接部５３には複数の防漏壁弾性部材５５（５５１〜５５４）が設けられており、該防漏壁弾性部材５５による収縮力が平面全体に作用することにより、当接部５３は面形状を維持したまま、着用者の身体にしっかりと押し当てられる。
【００６１】
これにより、防漏壁５０の当接部５３の全体を着用者の身体に面でピタッとフィットさせることができる。また、当接部５３が着用者の身体と面接触しているため、複数の防漏壁弾性部材５５１〜５５４による収縮力が分散されて当接部５３全体として着用者の肌に作用する面圧を大きくしている。したがって、複数の防漏壁弾性部材５５１〜５５４（例えば糸ゴム）による収縮力が着用者の肌に対して個々に作用する場合と比較して、局所的に圧力が高くなることが抑制され、おむつ１の付け心地が悪化するのを抑え、かつ、着用者の肌を傷つけにくくなる。なお、図８Ａの状態で、一対の防漏壁５０の横方向の間隔（横方向における一対の支持壁部５４，５４の間の距離）をＷ５０とする。
【００６２】
図８Ａの状態で、おむつ１に排泄が行われると、吸収性コア１１が尿等を吸収して重量が重くなり、下方側に垂れ下がるように移動しようとする。しかし、本実施形態のおむつ１では、当接部５３に設けられた複数の弾性部材５５の収縮力によって当接部５３を着用者の肌側に押し上げる力が生じており、吸収性コア１１の重量増加によって防漏壁５０が下側（非肌側）に引っ張られる力に対する抗力となる。また、当接部５３が着用者の肌と面接触していることから、接触面における摩擦が大きく、該当接部５３の位置ずれが生じにくい。したがって、一対の防漏壁５０の横方向の間隔Ｗ５０は排泄の前後で変動しにくい。これらのことから、図８Ｂのように防漏壁５０の当接部５３が着用者の肌に当接した状態が維持されやすく良好なフィット性をすることができる。また、着用者の肌と防漏壁５０との間に隙間が生じる等の問題が生じにくくなる。
【００６３】
さらに、本実施形態では、防漏壁５０が第１傾斜壁部５１及び第２傾斜壁部５２を有していることにより、おむつ１の着用時において当接部５３が平面形状をより維持しやすい構造となっている。図９Ａ及び図９Ｂは、防漏壁５０が第１傾斜壁部５１及び第２傾斜壁部５２を有していない場合の例について説明する図である。図９Ａは排泄が行われる前の状態を、図９Ｂは排泄が行われた後の状態について示している。
【００６４】
図９Ａの例では、防漏壁５０の最も肌側（上方）に当接部５３に相当する平面状の天面部１５３が設けられている。そして、天面部１５３の横方向の中央付近に支持壁部５４の上端５４ｅが接合されることにより図９Ａに示されるような略Ｔ字状の防漏壁５０を形成している。そして、図９Ａに示される排泄前の状態では、天面部１５３が着用者の身体に面状にフィットしている。
【００６５】
一方、図９Ｂに示される排泄後の状態では、吸収性コア１１の重量増加によって防漏壁５０の支持壁部５４が下側（非肌側）に引っ張られることにより、天面部１５３と支持壁部５４との接合部（図９Ｂにおいて支持壁部５４の上端５４ｅの位置）に荷重が集中し、上端５４ｅを中心として天面部１５３が折れ曲がってしまう。すなわち、天面部１５３が平面形状を維持することができず、防漏壁１５０が図９ＢのようにＹ字状に変形してしまう。その結果、天面部１５３を着用者の身体に面でフィットさせることができなくなり、また、防漏壁１５０と着用者の身体との間に隙間を生じることから、排泄物の横漏れ等が生じやすくなる。
【００６６】
これに対して、本実施形態のおむつ１では、吸収性コア１１の重量が増加すると、先ず防漏壁５０の支持壁部５４が下側に引っ張られる。この下方向の力は、支持壁部５４に接合されている第１傾斜壁部５１及び第２傾斜壁部５２に分散され、第１傾斜壁部５１及び第２傾斜壁部５２を介して当接部５３の横方向の両端部に作用する。したがって、当接部５３は、図９Ｂの天面部１５３のように横方向の中央位置で折れ曲がることなく、平面形状を維持しやすい。つまり、第１傾斜壁部５１及び第２傾斜壁部５２によって荷重を分散することによって、当接部５３と第１傾斜壁部５１又は第２傾斜壁部５２との接合部に作用する力をそれぞれ軽減させている。
【００６７】
また、おむつ１の防漏壁５０では、当接部５３の横方向中央部に第１傾斜壁部５１及び第２傾斜壁部５２が接合されていない領域を有することにより、当接部５３と第１傾斜壁部５１と第２傾斜壁部５２とによる三角形が形成されている。これにより、支持壁部５４から伝達される下方向の力（荷重）が、図９Ｂのように当接部５３の１カ所（特に横方向の中央部）に集中して作用することが抑制され、当接部５３は平面形状を維持しやすくなる。
【００６８】
さらに、当接部５３には防漏壁弾性部材５５１〜５５４が横方向に均等なピッチ（間隔）で配置されている。これにより、当接部５３の表面には、全体的に均一な伸縮力（防漏壁弾性部材５５による長手方向の収縮力）が作用しやすくなり、一部の領域に局所的な力が作用すること等によって当接部５３が捲れあがったり折れ曲がったりすることを抑制している。したがって、おむつ１の着用時において、当接部５３をより平面形状に保ちやすくすることが可能となり、着用者の身体に当接部５３を面状にフィットさせやすくなる。
【００６９】
そして、当接部５３の横方向において防漏壁弾性部材５５１〜５５４が配置されている領域では、該当接部５３が第１傾斜壁部５１，第２傾斜壁部５２のいずれとも接合されていない。すなわち、当接部５３のうち防漏壁弾性部材５５１〜５５４が配置されている領域では、厚さ方向に積層されている部材（シート部材５０ｓ）の積層枚数が一定である。仮に、当接部５３で防漏壁弾性部材５５１〜５５４が配置されている領域に積層枚数の多い部分と少ない部分とが混在していたとすると、積層枚数の多い部分の剛性は積層枚数の少ない部分の剛性よりも高くなる。この場合、剛性の高い部分と低い部分とで長手方向の収縮量に差が生じやすくなり、当接部５３が平面形状を維持しにくくなるおそれがある。これに対して、本実施形態のおむつ１では、防漏壁弾性部材５５１〜５５４が配置されている領域における当接部５３の剛性が一定に保たれやすく、当接部５３が平面形状を維持しやすい構造となっている。
【００７０】
また、第１傾斜壁部５１の傾斜方向における長さＬ５１と、第２傾斜壁部５２の傾斜方向における長さＬ５２とを等しくすることにより（Ｌ５１＝Ｌ５２、図６参照）、重量増加分の荷重を第１傾斜壁部５１及び第２傾斜壁部５２に均等に分散させることができる。これにより、当接部５３の横方向両端部に不均衡な力が作用しにくくなり、当接部５３の平面形状が崩れにくくなる。
【００７１】
また、第１傾斜壁部５１の長さＬ５１（第２傾斜壁部５２の長さＬ５２）を当接部５３の横方向における長さＬ５３よりも長くすることにより（Ｌ５１，Ｌ５２＞Ｌ５３、図６参照）、当接部５３が横方向に撓んでしまうことを抑制することができる。図１０Ａ及び図１０Ｂは、防漏壁５０の第１傾斜壁部５１（第２傾斜壁部５２）を介して当接部５３に作用する力について説明する図である。図１０Ａでは、Ｌ５１（Ｌ５２）＞Ｌ５３となる場合について表し、図１０Ｂでは、Ｌ５１（Ｌ５２）＜Ｌ５３となる場合について表している。
【００７２】
図１０Ａでは、排泄等によって吸収性コア１１の重量が増加した際に、防漏壁５０の支持壁部５４に下向きの力Ｆが作用する場合について示している。この場合、第１傾斜壁部５１及び第２斜壁部５２が接合されている当接部５３の横方向両端部には、それぞれ縦方向に１/２Ｆの力が作用する。そして、図１０Ａのように第１傾斜壁部５１（若しくは第２傾斜部５２）と当接部５３とのなす角度（第１傾斜壁部５１と当接部５３とのなす角度のうち小さい方の角度）をθ１とすると、第１傾斜壁部５２の傾斜方向に沿って１/２Ｆ・ｃｏｓｅｃθ１の力が作用し、横方向に沿って外側から内側に向かう力１/２Ｆ・ｃｏｔθ１が作用する。同様に、図１０Ｂにおいて、支持壁部５４に下向きの力Ｆが作用し、第１傾斜壁部５１（若しくは第２傾斜部５２）と当接部５３とのなす角度（小さい方の角度）をθ２とすると、当接部５３の横方向両端部には第１傾斜壁部５１の傾斜方向に沿って１/２Ｆ・ｃｏｓｅｃθ２の力が作用し、横方向に沿って外側から内側に向かう力１/２Ｆ・ｃｏｔθ２が作用する。
【００７３】
ここで、図１０ＡにおいてＬ５１＞Ｌ５３であり、図１０ＢにおいてＬ５１＜Ｌ５３であることから、θ１＞θ２となる。したがって、図１０Ａにおいて当接部５３の横方向両端部に作用する横方向内側向きの力１/２Ｆ・ｃｏｔθ１は、図１０Ｂにおいて当接部５３の横方向両端部に作用する横方向内側向きの力１/２Ｆ・ｃｏｔθ２よりも小さくなる（１/２Ｆ・ｃｏｔθ１＜１/２Ｆ・ｃｏｔθ２）。すなわち、当接部５３において横方向の両端部から横方向の中央側に作用する力は、Ｌ５１＜Ｌ５３の場合よりもＬ５１＞Ｌ５３の場合の方が小さくなる。つまり、第１傾斜壁部５１の長さＬ５１（第２傾斜壁部５２１の長さＬ５２）を当接部５３の長さＬ５３よりも長くした方が、当接部５３を横方向の中央側に圧縮する力が小さくなり、当接部５３が撓んだり折れ曲がったり（座屈）することを抑制しやすくなる。本実施形態では、上述のようにＬ５１＞Ｌ５３となるように、防漏壁５０が形成されているため、当接部５３の横方向両端側から中央側に作用する力の影響が小さく、当接部５３が平面状態を維持しやすくなっている。
【００７４】
また、本実施形態では、当接部５３の非肌側面に補助シート６１が積層されて接合されており、当接部５３の剛性が全体に亘って高くなっている。これにより、当接部５３がより折れ曲がったり撓んだりしにくくなり、平面形状を維持しやすくなっている。
【００７５】
なお、当接部５３の肌側面に、補助シート６１（第１補助シート６１とする）とは異なる第２補助シート６２を設けても良い。つまり、当接部５３の厚さ方向について、補助シート６１が設けられている側の面とは反対側の面に第２補助シート６２が設けられるのであっても良い。第１補助シート６１に加えて第２補助シート６２が設けられることにより、当接部５３の剛性がより高くなり、平面形状を維持しやすくなる。また、当接部５３の肌側面は、おむつ１の着用時において着用者の身体（肌）と直接接触する部位であることから、第２補助シート６２の素材（例えば、不織布）を適当に選択することにより、防漏壁５０の肌触りを向上させることもできる。
【００７６】
また、図１に示されるように、防漏壁５０は、厚さ方向について背側脚回り弾性部材３５ｌｇと交差する部分を有するように配置されている。パンツ型形状のおむつ１の背側領域において、背側脚回り弾性部材３５ｌｇの湾曲部３５ｌｇｃの伸縮力によって防漏壁５０が斜め上方に引っ張り上げられることにより、おむつ１を着用する際に防漏壁５０が起立しやすくなり、また、防漏壁５０が引っ張られることにより、吸収性本体１０が拡幅されやすくなる。これにより、おむつ１着用時における脚回りのフィット性が向上する。
【００７７】
また、防漏壁５０に設けられている防漏壁弾性部材５５の伸縮性が作用する領域と、腹側胴回り弾性部材３５ａ及び背側胴回り弾性部材３５ｂとが厚さ方向について交差する領域を有している。防漏壁弾性部材５５が、腹側胴回り弾性部材３５ａ及び背側胴回り弾性部材３５ｂによる横方向の伸縮性によって支持されるため、防漏壁５０及び吸収性本体１０が下方側に垂れ下がりにくくなる。これにより、吸収性コア１１が排泄物等を吸収して重量が重くなった場合であっても、吸収性本体１０が大きく垂れ下がることが抑制され、着用者に違和感を与えにくくなる。
【００７８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７９】
上述の実施形態では、当接部５３の横方向における最も外側の端の位置（すなわち、図６における所定位置ｆ２及びｆ３）でのみ、当接部５３が第１傾斜壁部５１及び第２傾斜壁部５２と接合されていたが、当接部５３の横方向における他の領域において両者が接合されていても良い。例えば、当接部５３の横方向の両端部が所定の長さに亘って第１傾斜壁部５１，第２傾斜壁部５２と接合されていても良い。図１１は、防漏壁５０の変形例について表す断面模式図である。同図１１の例では、当接部５３の横方向の左側端部領域において当接部５３と第１傾斜壁部５１との一部が接着剤等によって形成された端部接合部５８を介して互いに接合されている。同様に、当接部５３の横方向の右側端部領域において当接部５３と第２傾斜壁部５２との一部が接着剤等によって形成された端部接合部５９を介して互いに接合されている。
【００８０】
このように当接部５３の一部の領域が、第１傾斜壁部５１，第２傾斜壁部５２と接合されている場合でも、当接部５３のうち横方向においてＬ５３´の幅を有する領域では第１傾斜壁部５１，第２傾斜壁部５２が接合されておらず、上述の実施形態と同等の効果を得ることができる。すなわち、当接部５３のうちＬ５３´の幅を有する領域と第１傾斜壁部５１と第２傾斜壁部５２とによって三角形が形成され、おむつ１の重量が増加した場合であっても少なくともＬ５３´の幅を有する領域は平面形状に保たれる。したがって、防漏壁５０を着用者の身体に面でピタッとフィットさせることで、フィット感が悪化したり排泄物の横漏れが発生したりすることを抑制することができる。
【００８１】
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【符号の説明】
【００８２】
１  おむつ（パンツ型使い捨ておむつ）、
３  腹側胴回り部、３ｅｓ  腹側サイドエッジ部、
４  背側胴回り部、４ｅｓ  背側サイドエッジ部、
５  股下部、
１０  吸収性本体、
１１  吸収性コア、１１ｃ  凹み部、１１ｅａ  端部、１１ｅｂ  端部、
１２  コアラップシート、
２０  トップシート、
３０  バックシート、３０ｃ  凹み部、
３１  バックフィルム、３２  上側外層シート、３３  下側外層シート、
３５ａ  腹側胴回り弾性部材、３５ｂ  背側胴回り弾性部材、
３５ｌｇ  背側脚回り弾性部材、３５ｌｇｓ  直線部、３５ｌｇｃ  湾曲部、
５０  防漏壁、
５０ｓ  シート部材、５０ｅｉ  内側端部、５０ｅо  外側端部、
５１  第１傾斜壁部、５２  第２傾斜壁部、５３  当接部、
５４  支持壁部、５４ｅ  上端、
５５  防漏壁弾性部材、５５１〜５５４  防漏壁弾性部材、
５７  防漏壁接合部、５８  端部接合部、５９  端部接合部、
６１  補助シート（第１補助シート）、６２  第２補助シート、
７０  エンド接合部、
１００  おむつ（比較例）、
１１０  吸収性本体、１１１  吸収性コア、
１５０  防漏壁、１５３  天面部、
１５５  弾性部材、１５５１〜１５５４  弾性部材、
ｆ１，ｆ２，ｆ３、ｆ４、ｆ５  所定位置、
Ｌ５１，Ｌ５２，Ｌ５３，Ｌ５３´  長さ、
ＢＨ  胴回り開口、ＬＨ  脚回り開口、
ＣＬ１０  所定位置
【図１】
2018086134.tif 000003
【図２】
2018086134.tif 000004
【図３】
2018086134.tif 000005
【図４】
2018086134.tif 000006
【図５】
2018086134.tif 000007
【図６】
2018086134.tif 000008
【図７】
2018086134.tif 000009
【図８】
2018086134.tif 000010
【図９】
2018086134.tif 000011
【図１０】
2018086134.tif 000012
【図１１】
2018086134.tif 000013